(57)【要約】  【課題】本発明は室内ユニットの表示において、コストの高い部材を使用すること無く、室内の照明の影響を受けることなく、どこからでも視認しやすく、発光部が外観に表れずにインテリアに調和したデザインとなる空気調和機を提供するものである。  【解決手段】ケーシングと前面パネルと吸込グリルを組み合わせて外郭を構成する空気調和機の室内ユニットにおいて、前記吸込グリルは表面に横長で帯状の凹部を備え、同凹部は凹部の下端から上方に向かい後方に傾斜した傾斜部を設け、凹部上方には前記傾斜部に向けて発光部を配置させたことで、光源から発光した光が吸込グリルの傾斜部に映り込み、吸込グリルの隙間より見える直接光と傾斜部に映り込んだ間接光で視認しやすくなるものである。  【選択図】図４
2009243737.tif 000002
【特許請求の範囲】
【請求項１】
ケーシングと前面パネルと吸込グリルを組み合わせて外郭を構成する空気調和機の室内ユニットにおいて、
前記吸込グリルは表面に横長で帯状の凹部を備え、同凹部は凹部の下端から上方に向かい後方に傾斜した傾斜部を設け、凹部上方には前記傾斜部に向けて発光部を配置させたことを特徴とする空気調和機。
【請求項２】
ケーシングと前面パネルと吸込グリルを組み合わせて外郭を構成する空気調和機の室内ユニットにおいて、
前記吸込グリルは前方に化粧パネルを備え、前記吸込グリルにおける前記化粧パネルの投影面の周縁に後方に向かう傾斜部を設け、前記化粧パネルに対向して発光部を配置する一方、前記化粧パネルの背面には前記発光部からの光を前記傾斜部に反射させる反射部を設けたことを特徴とする空気調和機。
【発明の詳細な説明】
【技術分野】
【０００１】
本発明は空気調和機に係り、特に本体のデザインと表示に関するものである。
【背景技術】
【０００２】
従来の空気調和機の室内ユニットは、内部にフィルタと熱交換器と送風ファンを備え、これらを支持するケーシングと、同ケーシングに冠着した前面パネルと同前面パネルに係止された吸込グリルで構成され、吸込口から吸い込まれた吸込空気が熱交換されて冷気あるいは暖気となり、前記送風ファンにより吹出口から室内に送出されるものである。
【０００３】
最近では空気調和機の室内ユニットは設置する室内のインテリアに溶け込み、存在を主張しないデザインが好まれている。そのため本体色は室内の壁紙に使われている白色や薄いベージュ色が採用されており、形態においても凹凸や孔によって存在が目立つことでインテリアに違和感を与えることがないように、前面側は吸込桟を設けないフラットなパネル形状となり、空気は使用者の視線からは見えない上面側吸込口から吸い込まれ、吹出口も停止時は風向板により閉じられる形となっている。
【０００４】
しかし、空気調和機の室内ユニットは１つのモデルで幅広い運転能力に対応するため、高能力機種の場合には上面側からだけでは吸込量が不足する。また熱交換器の構造からは前面から空気を吸い込むことが効率を良くすることから、フラットな面形状の吸込グリルの一部に吸込口を設けるタイプや、図８の空気調和機の室内ユニット１００のように使用時に吸込グリル１０１が開閉し、上部開口部を吸込口とするタイプ（特許文献１参照）や、図９の空気調和機の室内ユニット２００のように吸込グリル２０２の前面に化粧パネル２０１を備え、吸込グリル２０２の上部および下部に凹部２０５を設けて同凹部の一側面を吸込口とするタイプ（特許文献２参照）が提案されている。
【０００５】
また表示においては、従来から背面に発光部を備えた透明または乳白色の樹脂による表示部を吸込グリルや本体の前面に設け、色違いの数個の発光色を運転状態に合わせて点灯させることで使用者に視認させていた。しかし室内ユニットが室内の天井近くに取り付けられるために照明の影響を受けやすく、室内を明るくした場合、発光の輝度をいくら上げても表示がわかりにくいといった問題があった。
【０００６】
さらに、表示においても存在を主張しないデザインが好まれていることから、停止時は表示部の存在を感じさせないようにする処理も採用されている。例えば先の文献において文献１では吸込グリル１０１の背面に表示装置１０２を備え、運転時に吸込グリル１０１が可動するときだけ表示装置１０２が表れて運転状況を視認させ、停止時は表示装置１０２に対向する部位の吸込グリル１０１を半透明として運転モードを表示させるものである。
【０００７】
また、文献２では光拡散処理を施した化粧パネル２０１の背面側吸込グリル２０２に発光部用の貫通孔２０３を設けＬＥＤ２０４が発光された時だけ光が貫通孔２０３を通り化粧パネル２０１で光拡散処理をされた発光色で運転状況を視認できるものである。
【０００８】
しかし、文献１および文献２は前面側に発光された発光色を直接視認するもので、明るい室内では表示が判りにくくなり、さらに前記吸込グリル１０１および前記化粧パネル２０１を半透明または透明のアクリル樹脂等のコストの高い樹脂で成形し、さらに光拡散処理を施さなければならず、コストアップの要因となっている。また、半透明または透明樹脂に光拡散処理を施しただけでは背面に配置された前記表示装置１０２および前記貫通孔２０３を完全に隠し切ることは難しい。
【特許文献１】特開２００６−１６２１３８号公報
【特許文献２】特開２００４−２５７６１９号公報
【発明の開示】
【発明が解決しようとする課題】
【０００９】
本発明は上記問題に鑑み、室内ユニットの表示において、コストの高い部材を使用すること無く、明るい室内でも正面および側面からも視認しやすく、発光部が外観に表れずにインテリアに調和したデザインとなる空気調和機を提供するものである。
【課題を解決するための手段】
【００１０】
上述した課題を達成するため、本発明は以下に示す特徴を備えている。
【００１１】
請求項１の発明は、ケーシングと前面パネルと吸込グリルを組み合わせて外郭を構成する空気調和機の室内ユニットにおいて、前記吸込グリルは表面に横長で帯状の凹部を備え、同凹部は凹部の下端から上方に向かい後方に傾斜した傾斜部を設け、凹部上方には前記傾斜部に向けて発光部を配置させたことを特徴とする空気調和機とすることで、光源から発光した光が吸込グリルの傾斜部に映り込むことで、吸込グリルの隙間より見える直接光と傾斜部に映り込んだ間接光で視認しやすくなるものである。
【００１２】
請求項２の発明は、ケーシングと前面パネルと吸込グリルを組み合わせて外郭を構成する空気調和機の室内ユニットにおいて、前記吸込グリルは前方に化粧パネルを備え、前記吸込グリルにおける前記化粧パネルの投影面の周縁に後方に向かう傾斜部を設け、前記化粧パネルに対向して発光部を配置する一方、前記化粧パネルの背面には前記発光部からの光を前記傾斜部に反射させる反射部を設けたことを特徴とする空気調和機とすることで、光源から発光した光が前記反射部に反射して吸込グリルの傾斜部に映り込むことで、吸込グリルの隙間より見える直接光と傾斜部に映り込んだ間接光で視認しやすくなるものである。
【発明の効果】
【００１３】
上記のように構成された本発明によれば、室内ユニットの表示において、従来例のように吸込グリル等に高価な材料を必要としないためコストを抑えることができ、吸込グリルの隙間から発光することで直接発光色が見えると共に、吸込グリルの影となる傾斜部に広く映り込んだ間接光により、明るい室内でどこからでも視認しやすく、間接光による穏やかな光により落ち着いた視覚効果を与えると共に、表示部が外観に表れずにインテリアに調和したデザインとなり、意匠性が向上する空気調和機となる。
【発明を実施するための最良の形態】
【００１４】
以下、図を参照して本発明の実施の形態を説明する。図１は本発明に係る空気調和機の室内ユニットの断面図であり、図２は本発明に係る実施例１の室内ユニットの斜視図であり、図３は本発明に係る実施例１の室内ユニットの構成を示す分解斜視図であり、図４は本発明に係る実施例１の室内ユニットの説明図で（ａ）は部分拡大正面図、（ｂ）は（ａ）のＡ−Ａ’断面図である。
【００１５】
空気調和機の室内ユニット１は、内部にフィルタ８と熱交換器１３と送風ファン３と図示しない電装品箱を備え、それらを支持するケーシング２と、前記ケーシング２に冠着した蒲鉾状の前面パネル４と同前面パネル４に着脱自在に係止するフラットな面状の吸込グリル５を組み合わせて外郭を構成する。空気は、上部吸込口９および前面吸込口１０から吸い込まれ熱交換されて冷気あるいは暖気となり、前記送風ファン３により吹出口１１から風向板１２で風向を調整して室内に送出されている。
【００１６】
前記前面パネル４および前記吸込グリル５は、室内のインテリアに溶け込むように白色や薄いベージュ色となっている。その上にパールやメタリックまたはウレタン光沢塗装を施し、質感を向上させて高級感を出すように処理が施されている。
【００１７】
前記吸込グリル５はフラットな表面の一部にデザインのアクセントとなる横長で帯状の凹部５０を備えている。同凹部５０は凹部の下端から上方に向かい後方に傾斜した緩やかな湾曲状をした傾斜部５２を設け、同傾斜部５２は天井近くに配置された照明器具により前記吸込グリル５の影があたることで暗い面となる。
【００１８】
また同凹部５０の上方の側面では、前記送風ファン３の前方になる部分が前記前面吸込口１０となるため開口されており、また図３（ａ）の７ｂ付近の開口されていない部分には前記傾斜部５０に向けて発光部７が配置されている。
【００１９】
同発光部７は運転状況に合わせ異なる色を発光させる複数の光源７１から構成されている。光源７１は発光部７内を仕切った部屋に個別に配置されていることから、異なる光が混じり合う事はない。同発光部７は基板７２に固定され、発光部７の発光する側には光拡散板７３が備えられている。
【００２０】
なお、凹部５０は帯状ではなく島状で前面吸込口１０を設けずに発光部７だけを配置するものでもよい。
【００２１】
前記発光部７を前記吸込グリル５に配置させる際は、前記吸込グリル５の凹部５０から発光部７本体が見えない奥の位置に、前記傾斜部５２側に発光面を向けて取り付ける。
【００２２】
これにより、光源７１から発光した直接光７ａは、前記凹部５０から垣間見れると共に、傾斜部５２に映り込むことで、間接光７ｂとして視認される。間接光７ｂは吸込グリル５の影となる傾斜した部分に映り込むことで、光が広く広がり、室内が明るくてもどこからでも視認しやすくなる。また吸込グリル５の表面には光沢処理が施されていることから、鮮やかに映り込むこととなる。
【００２３】
さらに従来の直接発光した眩しい光に対し、間接的になることで穏やかな光となるため、見るものに落ち着いた視覚効果を与えることができ、発光部が外観に表れずにインテリアに調和したデザインとなり、意匠性が向上する空気調和機となる。
【００２４】
また傾斜部に映り込んだ光を見ることで、従来例のように吸込グリル等に高価な材料を必要としないためコストを抑えることもできる。
【００２５】
次に実施例２の形態を説明する。なお、上記実施例１と同一の構成については同一の符号を付与する。図５は本発明に係る実施例２の斜視図であり、図６は本発明に係る実施例２の室内ユニットの構成を示す分解斜視図であり、図７は本発明に係る実施例２の説明図で（ａ）は部分拡大正面図、（ｂ）は（ａ）のＢ−Ｂ’断面図、（ｃ）は化粧パネルを背面側から見た部分斜視図である。
【００２６】
実施例２の空気調和機の室内ユニット１は、ケーシング２と、前記ケーシング２に冠着した蒲鉾状の前面パネル４と同前面パネル４に着脱自在に係止するフラットな面状の吸込グリル５を組み合わせて外郭を構成し、前記前面パネル４の前方に化粧パネル６を備えている。
【００２７】
前面パネル４および吸込グリル５および化粧パネル６は室内のインテリアに溶け込むように白色や薄いベージュ色となっている。その上にパールやメタリックまたはウレタン光沢塗装を施し、質感を向上させて高級感を出すように処理が施されている。
【００２８】
また化粧パネル６は本体色とは異なる和室や家具に馴染む色彩や表面処理を施してもよい。
【００２９】
前記化粧パネル６は、正面側上下に緩やかな曲面をつけたフラットな形状である。図示しないが背面側には複数の係止爪が設けられ、吸込グリル５の化粧パネル係止孔に係止されている。
【００３０】
前記吸込グリル５における化粧パネル６の投影面にあたる部分は開口され開口部（図示せず）となる。同開口部の周縁に後方に向かう傾斜部５２が設けられている。同傾斜部５２は天井近くに配置された照明器具により前記吸込グリル５の影があたることで暗い面となる。
【００３１】
係止した吸込グリル５と化粧パネル６には隙間があり、この隙間が前面吸込口１０となり、前面吸込口１０から吸い込まれた空気が傾斜部５２に導かれ、前記開口部から前記フィルタ８を通り送風ファン３に吸気される。
【００３２】
前記吸込グリル５には前記化粧パネル６に対向して発光部７が配置されている。同発光部７は運転状況に合わせ異なる色を発光させる複数の光源７１から構成されている。光源７１は発光部７内を仕切った部屋に個別に配置されていることから、異なる光が混じり合う事はない。同発光部７は基板７２に固定される。
【００３３】
なお、発光部７を配置させる際は、前記化粧パネル６の下端から発光部７本体がのぞかない位置に、前記化粧パネル６に対向して取り付ける。
【００３４】
前記化粧パネル６の背面には前記発光部７からの光を前記傾斜部５２に反射させる反射部６１が設けられている。同反射部６１は銀蒸着材やホットスタンプ等の反射させる特性を持つ材料を貼付した反射面６２と反射部取付具６３からなり、反射部取付具６３は化粧パネル６に溶着される。
【００３５】
反射面６２は発光部７の方向に上端部を傾斜させ、前記光源７の数に合わせて区切られている。なお、反射面６２にはメッキ等の鏡面加工を施してもよいし、反射部６１自体をステンレス等の金属で加工してもよい。
【００３６】
これにより、光源７１から発光した直接光７ａは、前記化粧パネル６の隙間から垣間見れると共に、前記反射面６１で反射され、傾斜部５２に映り込むことで、間接光７ｂとして視認される。間接光７ｂは吸込グリル５の影となる傾斜した部分に映り込むことで、光が広く広がり、室内が明るくてもどこからでも視認しやすくなる。また吸込グリル５の表面には光沢処理が施されていることから、鮮やかに映り込むこととなる。
【００３７】
さらに従来の直接発光した眩しい光に対し、間接的に穏やかな光となるため、見るものに落ち着いた視覚効果を与えることができ、発光部が外観に表れずにインテリアに調和したデザインとなり、意匠性が向上する空気調和機となる。
【００３８】
また、傾斜部に映り込んだ光を見る表示方法で、従来例のように吸込グリル等に高価な材料を必要としないためコストを抑えることもできる。
【図面の簡単な説明】
【００３９】
【図１】本発明に係る空気調和機の室内ユニットの断面図。
【図２】本発明に係る実施例１の室内ユニットの斜視図。
【図３】本発明に係る実施例１の室内ユニットの構成を示す分解斜視図。
【図４】本発明に係る実施例１の室内ユニットの説明図で（ａ）は部分拡大正面図、（ｂ）は（ａ）のＡ−Ａ’断面図。
【図５】本発明に係る実施例２の斜視図。
【図６】本発明に係る実施例２の室内ユニットの構成を示す分解斜視図。
【図７】本発明に係る実施例２の説明図で（ａ）は部分拡大正面図、（ｂ）は（ａ）のＢ−Ｂ’断面図、（ｃ）は化粧パネルを背面側から見た部分斜視図。
【図８】従来例１を示す空気調和機の室内ユニットの斜視図。
【図９】従来例２を示す空気調和機の室内ユニットの分解斜視図。
【符号の説明】
【００４０】
１      空気調和機の室内ユニット
２      ケーシング
３      送風ファン
４      前面パネル
５      吸込グリル
５０    凹部
５２    傾斜部
６      化粧パネル
６１    反射部
６２    反射面
６３    反射部取付具
７      発光部
７ａ    直接光
７ｂ    間接光
７１    光源
７２    基板
７３    光拡散板
８      フィルタ
９      上面吸込口
１０    前面吸込口
１１    吹出口
１２    風向板
１３    熱交換器
【図１】
2009243737.tif 000003
【図２】
2009243737.tif 000004
【図３】
2009243737.tif 000005
【図４】
2009243737.tif 000006
【図５】
2009243737.tif 000007
【図６】
2009243737.tif 000008
【図７】
2009243737.tif 000009
【図８】
2009243737.tif 000010
【図９】
2009243737.tif 000011